(57)【要約】【課題】省エネルギー状態からの復帰後に、省エネルギー状態への移行前に表示していた画像を表示させるまでの時間を短縮化できる画像表示装置を提供すること。【解決手段】画像表示装置１において、画像処理部３０は、省エネルギー状態への移行命令を受けた場合、そのときに表示出力されている画像のデータを移行前データとして不揮発性メモリ３２へ保存し、省エネルギー状態からの復帰命令を受けた場合、不揮発性メモリ３２から移行前データを読み出して該画像処理部３０と画像出力部４０とが画像表示可能となれば、システム全体の起動を待つことなく、そのまま画像出力部４０に移行前データの画像を表示出力させる。【選択図】図１
2015108727.tif 000002
【特許請求の範囲】
【請求項１】
入力画像を表示出力可能である出力状態から、前記出力状態よりも消費電力が小さい省エネルギー状態に移行する機能を有する画像表示装置であって、
当該画像表示装置の各構成部へ電源を供給するとともに電源の供給を制御する電源制御部と、
前記出力状態から前記省エネルギー状態への移行、または、前記省エネルギー状態からの復帰を前記電源制御部に指示するスタンバイ制御部と、
画像データの入力を受け付ける画像入力部と、
当該画像表示装置の動作に対する動作命令を受け付ける動作命令受付部と、
不揮発性メモリを有し、表示対象の画像のデータに対する画像処理を行う画像処理部と、
前記画像処理部が処理したデータの画像を表示出力する画像出力部と、
を備え、
前記省エネルギー状態は、少なくとも前記スタンバイ制御部および前記動作命令受付部に電源が供給される状態であり、
前記画像処理部は、前記動作命令受付部が前記出力状態から前記省エネルギー状態への移行命令を受けた場合には前記画像出力部が表示出力する画像のデータを移行前データとして前記不揮発性メモリへ保存し、前記動作命令受付部が前記省エネルギー状態からの復帰命令を受けた場合には前記不揮発性メモリから前記移行前データを読み出して該画像処理部と前記画像出力部とが画像表示可能となったときに前記画像出力部に前記移行前データの画像を表示出力させ、
前記スタンバイ制御部は、前記画像処理部における前記移行前データの保存完了後に前記電源制御部に前記出力状態から前記省エネルギー状態への移行を指示することを特徴とする画像表示装置。
【請求項２】
前記スタンバイ制御部は、前記動作命令受付部が前記出力状態から前記省エネルギー状態への移行命令を受けた場合、前記省エネルギー状態へ移行していることを示す省エネ移行フラグを立て、
前記画像処理部は、前記省エネルギー状態からの復帰時に前記スタンバイ制御部における前記省エネ移行フラグの有無を確認し、前記省エネ移行フラグが立っている場合には前記移行前データの画像を表示対象の画像として選択し、前記省エネ移行フラグが立っていない場合には予め設定された起動画像を表示対象の画像として選択することを特徴とする請求項１に記載の画像表示装置。
【請求項３】
前記画像処理部は、前記画像入力部において画像データの入力が受け付け可能であるか否かを検知する機能を有し、前記省エネルギー状態からの復帰後に前記画像入力部において画像データの入力が受け付け可能になったことを検知した場合には、前記画像出力部で表示出力される画像を前記移行前データの画像から前記画像入力部による入力画像に切り替えることを特徴とする請求項１に記載の画像表示装置。
【請求項４】
前記画像処理部は、表示中の画像のデータを保存する画像キャプチャ機能を有し、前記動作命令受付部が画像キャプチャ命令を受けた場合には、表示中の画像のデータを前記不揮発性メモリに保存することを特徴とする請求項１に記載の画像表示装置。
【請求項５】
前記省エネルギー状態からの復帰時に、前記画像キャプチャ機能によって前記不揮発性メモリに保存された複数の画像の中から任意の画像の選択を受け付ける選択部をさらに備え、
前記画像処理部は、前記選択部が選択を受け付けた選択画像のデータを前記不揮発性メモリから読み出し、該画像処理部と前記画像出力部とが画像表示可能となったときに前記画像出力部に前記選択画像を表示出力させることを特徴とする請求項４に記載の画像表示装置。
【請求項６】
当該画像表示装置は、前記省エネルギー状態としてＳＴＲ（Ｓｕｓｐｅｎｄ  ｔｏ  ＲＡＭ）状態を選択でき、
前記画像処理部は、揮発性メモリをさらに有し、前記動作命令受付部が前記省エネルギー状態への移行命令を受けた場合には前記移行前データを前記揮発性メモリへ保存し、前記動作命令受付部が前記省エネルギー状態からの復帰命令を受けた場合には前記揮発性メモリから前記移行前データを読み出して該画像処理部と前記画像出力部とが画像表示可能となったときに前記画像出力部に前記移行前データの画像を表示出力させ、
前記スタンバイ制御部は、前記電源制御部に、前記省エネルギー状態として、前記スタンバイ制御部および前記動作命令受付部に加えて前記揮発性メモリと前記揮発性メモリの制御回路とに対しても電源を供給させることを特徴とする請求項１に記載の画像表示装置。
【請求項７】
前記動作命令受付部は、ネットワークを介して当該画像表示装置の動作に対する動作命令を受け付けることを特徴とする請求項１に記載の画像表示装置。
【請求項８】
前記動作命令受付部は、当該画像表示装置の動作に対する動作命令を受け付け可能である入力デバイスを有することを特徴とする請求項１に記載の画像表示装置。
【発明の詳細な説明】
【技術分野】
【０００１】
本発明は、画像を表示出力する画像表示装置に関する。
【背景技術】
【０００２】
プロジェクターなどの画像表示装置は、電源を投入してからシステムの起動が完了し、さらに、画像を投影する準備が整ってから実際の画像表示が可能となる。また、画像表示装置では、画像投影のためにランプなどの光源から光を発する構成であることが多い。このため、システムの起動時間がランプ点灯時間よりも長い場合には、画面上に何も表示されない状態でランプのみが点灯する状態が発生する。このような状態をなくすため、画像表示装置では、最初に表示するための起動画像のデータを保存しておき、電源投入後、システムが完全に起動するまでは、この起動画像を表示することが一般的になっている。このような起動画像として、たとえば、装置自体の機器情報を示したものなどがある（例えば、特許文献１参照）。
【０００３】
そして、待機状態への移行前に起動画像のデータを揮発性メモリに記憶させ、待機状態からの復帰時には、揮発性メモリから起動画像のデータを読み出しシステム全体が完全に起動する前でも起動画像を表示できるようにして、画像表示までの操作者の待ち時間を減らした画像表示装置が提案されている（たとえば、特許文献２参照）。この画像表示装置では、システム起動後に映像データが入力されると、起動画像から映像データの画像に表示が切り替えられる。
【発明の概要】
【発明が解決しようとする課題】
【０００４】
しかしながら、特許文献１および特許文献２に記載の画像表示装置では、省エネルギー状態から通常状態に復帰する場合も、通常の起動時と同じ起動画像しか画面に表示されない。したがって、操作者が、起動画像ではなく、省エネルギー状態への移行前に表示されていた画像を再度表示させたい場合には、システム全体が起動し、任意の画像を表示できる状態になるまで待たなくてはならなかった。
【０００５】
本発明は、上記に鑑みてなされたものであって、省エネルギー状態に移行する機能を有する画像表示装置において、省エネルギー状態からの復帰後に、省エネルギー状態への移行前に表示していた画像を再度表示させるまでの時間を短縮化できる画像表示装置を提供することを目的とする。
【課題を解決するための手段】
【０００６】
上述した課題を解決し、目的を達成するために、本発明にかかる画像表示装置は、入力画像を表示出力可能である出力状態から、前記出力状態よりも消費電力が小さい省エネルギー状態に移行する機能を有する画像表示装置であって、当該画像表示装置の各構成部へ電源を供給するとともに電源の供給を制御する電源制御部と、前記出力状態から前記省エネルギー状態への移行、または、前記省エネルギー状態からの復帰を前記電源制御部に指示するスタンバイ制御部と、画像データの入力を受け付ける画像入力部と、当該画像表示装置の動作に対する動作命令を受け付ける動作命令受付部と、不揮発性メモリを有し、表示対象の画像のデータに対する画像処理を行う画像処理部と、前記画像処理部が処理したデータの画像を表示出力する画像出力部と、を備え、前記省エネルギー状態は、少なくとも前記スタンバイ制御部および前記動作命令受付部に電源が供給される状態であり、前記画像処理部は、前記動作命令受付部が前記出力状態から前記省エネルギー状態への移行命令を受けた場合には前記画像出力部が表示出力する画像のデータを移行前データとして前記不揮発性メモリへ保存し、前記動作命令受付部が前記省エネルギー状態からの復帰命令を受けた場合には前記不揮発性メモリから前記移行前データを読み出して該画像処理部と前記画像出力部とが画像表示可能となったときに前記画像出力部に前記移行前データの画像を表示出力させ、前記スタンバイ制御部は、前記画像処理部における前記移行前データの保存完了後に前記電源制御部に前記出力状態から前記省エネルギー状態への移行を指示することを特徴とする。
【発明の効果】
【０００７】
本発明の画像表示装置によれば、省エネルギー状態からの復帰後に、省エネルギー状態への移行前に表示していた画像を再度表示させるまでの時間を短縮化できる。
【図面の簡単な説明】
【０００８】
【図１】図１は、本発明における実施の形態１にかかる画像表示装置の構成を示すブロック図である。
【図２】図２は、図１に示す画像表示装置における省エネルギー状態への移行処理の処理手順を示すフローチャートである。
【図３】図３は、図１に示す画像表示装置が省エネルギー状態から出力状態に復帰し、画像を表示出力するまでの処理の処理手順を示すフローチャートである。
【図４】図４は、図１に示す画像表示装置における省エネルギー状態復帰後の表示画像の切り替え処理の処理手順を示すフローチャートである。
【図５】図５は、実施の形態２における画像表示装置の画像キャプチャ処理の処理手順を示すフローチャートである。
【図６】図６は、図５で説明した画像キャプチャが行われた画像表示装置における省エネルギー状態からの復帰処理の処理手順を示すフローチャートである。
【図７】図７は、実施の形態３における画像表示装置による省エネルギー状態への移行処理の処理手順を示すフローチャートである。
【図８】図８は、実施の形態３における画像表示装置が省エネルギー状態から出力状態に復帰し、画像を表示出力するまでの処理の処理手順を示すフローチャートである。
【図９】図９は、実施の形態１の画像表示装置を有する画像表示システムの構成の一例を示す模式図である。
【発明を実施するための形態】
【０００９】
以下に、本発明にかかる実施の形態の一例である画像表示装置について説明する。なお、この実施の形態によりこの発明が限定されるものではない。また、図面の記載において、同一部分には同一の符号を付している。
【００１０】
（実施の形態１）
図１は、本発明における実施の形態１にかかる画像表示装置の構成を示すブロック図である。図１に示すように、本実施の形態１にかかる画像表示装置１は、接続する外部機器等から直接画像データの入力を受け付ける入力Ｉ／Ｆ部１０、ＵＳＢ２．０規格装置５およびＬＡＮ／ＷＬＡＮ６で接続されるネットワークからの画像データの入力を受け付けるネットワーク通信部２０、入力Ｉ／Ｆ部１０およびネットワーク通信部２０が入力を受け付けた画像データを処理して表示用の画像データに変換する画像処理部３０、画像処理部３０において処理された画像データの画像を表示出力する画像出力部４０、画像表示装置１の各構成部へ電源を供給するとともに電源の供給を制御する電源制御部５０、電源制御部５０を制御するとともに出力状態から省エネルギー状態（以降、「省エネ状態」という。）への移行または省エネ状態からの復帰を電源制御部５０に指示するスタンバイ制御部６０、ならびに、動作命令受付部として機能し画像表示装置１の操作者からの操作を受け付ける操作部７０を有する。出力状態および省エネ状態については、後述する。
【００１１】
入力Ｉ／Ｆ部１０は、ＨＤＭＩ（登録商標）規格機器２、ＶＧＡ規格機器３およびＣｏｍｐｏｓｉｔｅ端子を介して接続する機器４に接続する外部機器等から直接画像の入力を受け付ける。入力Ｉ／Ｆ部１０は、各入力端子から入力された画像データを、後述する画像処理回路３１が処理可能となる形態に変換後、画像処理部３０に画像データを出力する。図１の例では、入力Ｉ／Ｆ部１０は、ＨＤＭＩ規格機器２から入力された画像データを受け付けるＨＤＭＩ  Ｒｅｃｅｉｖｅｒ１１と、ＶＧＡ規格機器３およびＣｏｍｐｏｓｉｔｅ端子を介して接続する機器４から入力された画像データを受け付けてノイズ除去やＡ／Ｄ変換を行うＡＦＥ（Ａｎａｌｏｇ  Ｆｒｏｎｔ  Ｅｎｄ）１２とを有する。
【００１２】
ネットワーク通信部２０は、ネットワーク経由で入力される画像データを画像処理部３０へ送るために画像処理回路３１が処理可能となる形態に変換する画像処理回路２１と、ネットワークを介して画像表示装置１の動作に対する動作命令を受け付けるパワー制御回路２２とを備える。パワー制御回路２２は、動作命令受付部として機能し、動作命令として、たとえば、出力状態から省エネ状態への移行命令、および、省エネ状態からの復帰命令をネットワーク経由で受け付ける。パワー制御回路２２は、受け付けた省エネ状態への移行命令または省エネ状態からの復帰命令に応じた省エネ状態指示信号をスタンバイ制御部６０に出力する。
【００１３】
画像処理部３０は、画像処理を司る画像処理回路３１、実行プログラムおよび画像データを蓄積する不揮発性メモリ３２、ならびに、画像出力部４０に送信可能となる状態に画像データを展開して記憶する揮発性メモリ３３を有する。画像表示装置１においては、装置全体に電源が入れられて装置全体が起動するまでの間に画面に表示される通常起動用の起動画像が予め設定されており、この通常の起動画像のデータは、不揮発性メモリ３２に記憶される。また、画像処理部３０は、省エネ状態からの復帰後に、画像入力部として機能する入力Ｉ／Ｆ部１０およびネットワーク通信部２０において、画像データの入力が受け付け可能になったことを検知する機能も有する。
【００１４】
画像出力部４０は、画像処理部３０から送信された画像データの出力調整処理を行う画像出力調整部４１と、画像出力調整部４１による出力調整処理後の画像を投影画面に投影することによって画像を表示出力する表示部４２とを有する。
【００１５】
電源制御部５０は、画像表示装置１の各構成部位への電源５１からの電源供給を制御する機能を有する。ここで、前述の出力状態とは、各構成部位に電源が供給されて、外部から入力された画像データの画像が表示出力可能である状態である。省エネ状態とは、出力状態よりも画像表示装置１全体における消費電力が小さい状態である。そして、本実施の形態１において省エネ状態とは、スタンバイ制御部６０と、動作命令受付部として機能するパワー制御回路２２および操作部７０とに電源が供給される状態をいう。
【００１６】
操作部７０は、操作者による操作によって画像表示装置１の動作に対する動作命令を受け付け可能である操作ボタン７１などの入力デバイスを有する。操作部７０は、動作命令の一つとして、出力状態から省エネ状態への移行命令、および、省エネ状態からの復帰命令を受け付け、受け付けた命令に応じた省エネ状態指示信号をスタンバイ制御部６０に送信する。なお、表示部４２および操作部７０は、情報の表示や操作者からの操作入力が可能であるタッチパネルディスプレイによって構成されてもよい。この場合、操作部７０は、タッチセンサを備えて、画面上に表示したソフトキーに対応する位置での接触を検知することによって、画像表示装置１の動作を命令する信号の入力を受け付ける。
【００１７】
そして、スタンバイ制御部６０は、マイコン等によって構成されており、パワー制御回路２２または操作部７０から送信された省エネ状態指示信号の内容に応じて電源制御部５０を制御する。スタンバイ制御部６０は、パワー制御回路２２または操作部７０から、省エネ状態への移行を命令する省エネ状態指示信号を受信した場合には、画像表示装置１が出力状態から省エネ状態に移行するように電源制御部５０を制御する。スタンバイ制御部６０は、パワー制御回路２２または操作部７０から、省エネ状態からの復帰を命令する省エネ状態指示信号を受信した場合には、画像表示装置１が省エネ状態から出力状態に復帰するように電源制御部５０を制御する。上述したように、省エネ状態で電源が供給されるのはスタンバイ制御部６０、パワー制御回路２２および操作部７０のみであるため、スタンバイ制御部６０は、省エネ状態であってもパワー制御回路２２または操作部７０が受け付けた省エネ状態からの復帰を命令する省エネ状態指示信号を受信でき、画像表示装置１の省エネ状態からの復帰をスムーズに制御することができる。
【００１８】
次に、画像表示装置１における省エネ状態への移行処理について説明する。図２は、画像表示装置１における省エネ状態への移行処理の処理手順を示すフローチャートである。
【００１９】
図２に示すように、スタンバイ制御部６０は、省エネ状態への移行を命令する省エネ状態指示信号をパワー制御回路２２または操作部７０から受信する（ステップＳ１）と、画像処理部３０に、該指示信号を受信したときに選択されていた入力（入力Ｉ／Ｆ部１０またはネットワーク通信部２０のいずれかからの入力）画像のデータを、移行前データとして、表示画像のイメージで不揮発性メモリ３２の所定のアドレスに保存させる（ステップＳ２）。画像処理部３０に画像データが入力されてから画像出力部４０で表示されるまでの一連の処理はごく短時間で実行されるため、不揮発性メモリ３２に移行前データとして保存される入力画像のデータは、指示信号受信時またはその直前に画像出力部４０が表示出力する表示画像のデータである。
【００２０】
スタンバイ制御部６０は、移行前データの不揮発性メモリ３２への保存が完了したこと示す通知を画像処理回路３１から受けると、省エネルギー状態へ移行していることを示す省エネ移行フラグを立てる（ステップＳ３）。スタンバイ制御部６０は、この省エネ移行フラグとして、たとえば、所定の信号線の電圧レベルを初期状態からハイ（Ｈ）にすることで省エネ状態への移行を示すものとする。
【００２１】
その後、スタンバイ制御部６０は、電源制御部５０に省エネ状態への移行を指示する電源制御信号を入力し、電源制御部５０にスタンバイ制御部６０、パワー制御回路２２および操作部７０以外の構成部位への電源供給を停止させることによって、画像表示装置１を省エネ状態へと移行させる（ステップＳ４）。
【００２２】
スタンバイ制御部６０には、省エネ状態である場合においても、電源が供給されているため、省エネ移行フラグが立っている状態を維持できる。これに対し、画像表示装置１全体の電源がオフ状態である場合には、スタンバイ制御部６０の電源もオフされるため、この次に起動時は、省エネ移行フラグに対応する信号線の電圧レベルは初期状態に戻る。
【００２３】
次いで、画像表示装置１が省エネ状態から出力状態に復帰し、画像を表示出力するまでの処理について説明する。図３は、画像表示装置１が省エネ状態から出力状態に復帰し、画像を表示出力するまでの処理の処理手順を示すフローチャートである。
【００２４】
図３に示すように、スタンバイ制御部６０は、パワー制御回路２２または操作部７０から省エネ状態からの復帰を命令する指示信号を受信する（ステップＳ１１）と、省エネ状態からの復帰処理を開始する。すなわち、スタンバイ制御部６０は、電源制御部５０に省エネ状態からの復帰を指示する電源制御信号を入力し、電源制御部５０に、スタンバイ制御部６０、パワー制御回路２２および操作部７０以外の構成部位への電源供給を再開させることによって、画像表示装置１を省エネ状態から出力状態に復帰させる。
【００２５】
画像処理部３０では、画像処理回路３１が電源供給により起動すると、スタンバイ制御部６０における省エネ移行フラグの有無を確認し（ステップＳ１２）、省エネ移行フラグがあるか否かを判断する（ステップＳ１３）。
【００２６】
画像処理回路３１は、スタンバイ制御部６０に省エネ移行フラグが立っていないと判断した場合には（ステップＳ１３：Ｎｏ）、省エネ状態からの復帰ではなく画像表示装置１全体の電源がオンされて起動する通常の起動であるため、通常起動時に行う一定の処理を行い（ステップＳ１４）、不揮発性メモリ３２に保存された通常起動用の起動画像を表示対象の画像として選択して起動画像を画像出力部４０から表示出力させる（ステップＳ１５）。
【００２７】
これに対し、画像処理回路３１は、スタンバイ制御部６０に省エネ移行フラグが立っていると判断した場合には（ステップＳ１３：Ｙｅｓ）、不揮発性メモリ３２の所定のアドレスから移行前データを読み出して（ステップＳ１６）、移行前データの画像を表示対象の画像として選択する。そして、画像処理部３０においては、読み出した移行前データの画像を揮発性メモリ３３に展開し（ステップＳ１７）、所定の画像処理を行った後、該画像処理部３０と画像出力部４０とが画像表示可能となったときに、そのまま移行前データを画像出力部４０に送って移行前データの画像を表示出力させる（ステップＳ１８）。
【００２８】
すなわち、画像表示装置１では、画像処理部３０および画像出力部４０の起動が完了していれば、他の部分の起動を待たずに、不揮発性メモリ３２に保存されていた移行前データの画像が表示出力される。そして、画像表示装置１では、省エネ状態からの復帰時には、規定の起動画像ではなく、移行前データの画像、すなわち、省エネ状態への移行直前に表示されていた画像が表示される。
【００２９】
次に、画像表示装置１における省エネ状態からの復帰後の表示画像の切り替え処理について説明する。図４は、画像表示装置１における省エネ状態からの復帰後の表示画像の切り替え処理の処理手順を示すフローチャートである。
【００３０】
図４に示すように、画像表示装置１においては、画像処理部３０は、入力Ｉ／Ｆ部１０またはネットワーク通信部２０において、省エネ状態からの復帰後に入力側の回路の準備が完了し、画像データの入力が受け付け可能になったか否かを判断する(ステップＳ３１)。画像処理部３０は、入力Ｉ／Ｆ部１０またはネットワーク通信部２０において、画像データの入力が受け付け可能になっていないと判断した場合(ステップＳ３１：Ｎｏ)、画像データの入力が受け付け可能になるまでステップＳ３１の判断処理を繰り返す。画像処理部３０は、入力Ｉ／Ｆ部１０またはネットワーク通信部２０において、画像データの入力が受け付け可能になったと判断した場合(ステップＳ３１：Ｙｅｓ)、画像出力部４０における移行前データの画像の表示を一度停止する（ステップＳ３２）。続いて、画像処理部３０は、画像出力部４０での表示対象の画像として、入力Ｉ／Ｆ部１０またはネットワーク通信部２０から入力された画像データを揮発性メモリ３３に展開し（ステップＳ３３）、所定の画像処理を行った後、画像出力部４０に送って表示出力させる（ステップＳ３４）。このように、画像処理部３０は、入力Ｉ／Ｆ部１０またはネットワーク通信部２０において画像データの入力が受け付け可能になったことを検知した場合には、画像出力部４０で表示される画像を、移行前データの画像から入力Ｉ／Ｆ部１０またはネットワーク通信部２０による入力画像に切り替えて、入力画像の表示を円滑に行う。
【００３１】
上述したように、本実施の形態１にかかる画像表示装置１では、省エネ状態への移行直前に表示していた画像データを不揮発性メモリ３２に保存する。この不揮発性メモリ３２は、画像表示を制御する画像処理部３０の画像処理回路３１に付随したメモリである。このため、省エネ状態から復帰後においては、画像処理部３０および画像出力部４０さえ立ち上がれば、画像処理部３０は、そのまま不揮発性メモリ３２から省エネ状態移行直前の表示画像を読み出して表示させることができる。したがって、画像表示装置１では、省エネ状態移行直前の表示画像を表示するためにシステム全体の起動を待つ必要がないため、省エネ状態からの復帰後に省エネ状態への移行前に表示していた画像を表示させるまでの時間を従来よりも短縮化できる。
【００３２】
また、画像表示装置１においては、省エネ状態移行命令を検知したときには、移行前データの不揮発性メモリ３２への保存処理とともに、省エネ状態であっても電源が供給されるスタンバイ制御部６０内に省エネ移行フラグを立てる処理を行う。これによって、画像処理部３０は、画像処理部３０の立ち上がり時にスタンバイ制御部６０内のフラグの有無を確認するだけで移行前データの画像または通常起動用画像のいずれかを選択可能となり、表示画像の選択のためにスタンバイ制御部６０からの制御を待たずともよいため、省エネ状態からの復帰後に省エネ状態への移行前に表示していた画像を表示させるまでの時間を短縮化できる。
【００３３】
なお、スタンバイ制御部６０は、必ずしも省エネ移行フラグを立てる機能を持たずともよい。この場合には、スタンバイ制御部６０は、画像処理部３０に対して、省エネ状態からの復帰時に省エネ状態からの復帰を示す制御信号を出力すればよい。
【００３４】
（実施の形態２）
次に、実施の形態２について説明する。実施の形態２にかかる画像表示装置は、図１の画像表示装置１と同様の構成を有するとともに、図１に示す画像処理部３０に、画像表示中に表示中の画像のデータを保存する画像キャプチャ機能をさらに持たせ、画像キャプチャ機能によって保存された複数の画像のうちから省エネ状態復帰時に表示する画像を選択できるようにしている。
【００３５】
図５は、実施の形態２における画像表示装置の画像キャプチャ処理の処理手順を示すフローチャートである。図５に示すように、画像処理部３０において、画像処理回路３１は、ネットワーク通信部２０もしくは操作部７０を通じて、画像キャプチャの要求を受信する（ステップＳ４１）。キャプチャ要求を受け取った画像処理回路３１は、要求に応じた時点で画像出力部４０が表示している画像のキャプチャデータを取得し、表示中の画像のキャプチャデータを不揮発性メモリ３２に保存する（ステップＳ４２）。
【００３６】
そして、図６は、図５で説明した画像キャプチャが行われた画像表示装置における省エネ状態からの復帰処理の処理手順を示すフローチャートである。図６のステップＳ５１〜ステップＳ５５は、図３のステップＳ１１〜１５である。画像処理部３０において、画像処理回路３１がスタンバイ制御部６０に省エネ移行フラグが立っていると判断した場合には（ステップＳ５３：Ｙｅｓ）、画像出力部４０に、画像キャプチャ機能によって不揮発性メモリ３２に保存された複数の画像の中から任意の画像の選択を受け付けるための選択メニュー画像を表示させる（ステップＳ５６）。操作部７０は、選択部として機能し、操作者の操作ボタン７１などの操作に応じて、画像キャプチャ機能によって不揮発性メモリ３２に保存された複数の画像の中から任意の画像の選択を受け付け（ステップＳ５７）、受け付けた選択内容を画像処理部３０に送信する。たとえば、表示部４２および操作部７０が、タッチパネルディスプレイによって構成されている場合には、画像キャプチャ機能によって保存された画像のサムネイルがそれぞれ並ぶ選択メニュー画像が表示部４２の画面に表示され、操作者が画面上のサムネイルに指を接触させると、操作部７０は、指の接触位置を検知して、接触位置に表示されたサムネイルに対応した画像が選択されたと判断する。
【００３７】
画像処理回路３１は、操作部７０が選択を受け付けた選択画像のデータを不揮発性メモリ３２から読み出し（ステップＳ５８）、読み出した選択画像を揮発性メモリ３３に展開し（ステップＳ５９）、所定の画像処理を行ってから、画像処理部３０と画像出力部４０とが画像表示可能となったときに画像出力部４０に選択画像を表示出力させる（ステップＳ６０）。
【００３８】
このように、実施の形態２では、実施の形態１と同様に、省エネ状態からの復帰時においては、画像処理部３０および画像出力部４０の起動が完了していれば、システム全体の起動を待たずとも画像を表示できるため、画像表示までの時間を短縮化できる。さらに、実施の形態２では、省エネ状態からの復帰時に表示させる画像を操作者が選択できるようになっており、さらにユーザフレンドリー化した構成となっている。
【００３９】
（実施の形態３）
次に、実施の形態３について説明する。実施の形態３にかかる画像表示装置は、図１の画像表示装置１と同様の構成を有するとともに、現在の状態をメモリに保存させた状態で各構成部への電源供給を停止するいわゆるＳＴＲ（Ｓｕｓｐｅｎｄ  ｔｏ  ＲＡＭ）モードを選択して省エネ状態に移行可能である。実施の形態３では、画像処理部３０は、省エネ状態への移行時に保存対象となる移行前データを揮発性メモリ３３に保存する。そして、実施の形態３では、スタンバイ制御部６０は、省エネ状態として、スタンバイ制御部６０、パワー制御回路２２および操作部７０に加え、揮発性メモリ３３と画像処理回路３１における揮発性メモリ３３の制御回路とに対しても、電源を供給するように電源制御部５０を制御する。
【００４０】
図７は、実施の形態３における画像表示装置による省エネ状態への移行処理の処理手順を示すフローチャートである。図７のステップＳ６１は、図２のステップＳ１である。画像処理部３０は、指示信号を受信したときに選択されていた入力画像のデータを、移行前データとして、表示画像のイメージで揮発性メモリ３３の所定のアドレスに保存させる（ステップＳ６２）。図７のステップＳ６３は、図２のステップＳ３である。その後、スタンバイ制御部６０は、電源制御部５０に省エネ状態への移行を指示する電源制御信号を入力し、電源制御部５０にスタンバイ制御部６０、パワー制御回路２２、操作部７０、揮発性メモリ３３、および、画像処理回路３１における揮発性メモリ３３の制御回路以外の構成部位への電源供給を停止させることによって、画像表示装置１を省エネ状態へと移行させる（ステップＳ６４）。
【００４１】
図８は、実施の形態３における画像表示装置が省エネ状態から出力状態に復帰し、画像を表示出力するまでの処理の処理手順を示すフローチャートである。図８に示すステップＳ７１〜ステップＳ７５は、図３のステップＳ１１〜１５である。画像処理部３０において、画像処理回路３１がスタンバイ制御部６０における省エネ移行フラグが立っていると判断した場合には（ステップＳ７３：Ｙｅｓ）、揮発性メモリ３３の所定のアドレスから移行前データを読み出し（ステップＳ７６）、移行前データの画像を表示対象の画像として選択する。画像処理部３０では、揮発性メモリ３３から読み出した移行前データの画像に所定の画像処理を行って、該画像処理部３０と画像出力部４０とが画像表示可能となれば、そのまま画像出力部４０に移行前データの画像を表示出力させる（ステップＳ７７）。
【００４２】
実施の形態３では、画像処理部３０は、揮発性メモリ３３に移行前データを保存するため、省エネ状態からの復帰時には揮発性メモリ３３に展開されている移行前データをそのまま画像出力部４０に出力するだけで省エネ状態移行前の画像を表示できる。したがって、実施の形態３によれば、不揮発性メモリ３２内の移行前データをもとに画像表示を行う実施の形態１に比べ、不揮発性メモリ３２から揮発性メモリ３３にデータを展開する時間分、画像表示までの時間を短縮化できる。
【００４３】
なお、本実施の形態１〜３の画像表示装置は、図９に示すように、ＰＣ１００などの外部の画像入力装置から、ＬＡＮ／ＷＬＡＮ／ＨＤＭＩ／ＶＧＡ／Ｃｏｍｐｏｓｉｔｅ等の各種インターフェース１１０を経由して画像データが入力されるとともに、設定画面等の各種画面や、画像入力装置から入力された静止画あるいは動画の表示が可能であればどのような装置であってもよい。たとえば、画像表示装置は、プロジェクター等の画像投影装置である。また、画像表示装置は、表示機能を備えた複写機、ファクシミリ、スキャナ装置、ＰＣなどであってもよい。また、画像表示装置は、複写、ファックス、プリンタ等の複数の機能を一つの筐体に収納した複合機であってもよい。
【００４４】
また、本実施の形態１〜３にかかる画像表示装置１で実行される各処理に対する実行プログラムは、インストール可能な形式又は実行可能な形式のファイルでＣＤ−ＲＯＭ、フレキシブルディスク（ＦＤ）、ＣＤ−Ｒ、ＤＶＤ（Ｄｉｇｉｔａｌ  Ｖｅｒｓａｔｉｌｅ  Ｄｉｓｋ）等のコンピュータで読み取り可能な記録媒体に記録して提供するように構成してもよく、インターネット等のネットワークに接続されたコンピュータ上に格納し、ネットワーク経由でダウンロードさせることにより提供するように構成してもよい。また、インターネット等のネットワーク経由で提供または配布するように構成してもよい。
【符号の説明】
【００４５】
１  画像表示装置
１０  入力Ｉ／Ｆ部
２０  ネットワーク通信部
２１，３１  画像処理回路
２２  パワー制御回路
３０  画像処理部
３２  不揮発性メモリ
３３  揮発性メモリ
４０  画像出力部
４１  画像出力調整部
４２  表示部
５０  電源制御部
５１  電源
６０  スタンバイ制御部
７０  操作部
７１  操作ボタン
【先行技術文献】
【特許文献】
【００４６】
【特許文献１】特許第５０４９１９４号公報
【特許文献２】特開２００８−１２９３５１号公報
【図１】
2015108727.tif 000003
【図２】
2015108727.tif 000004
【図３】
2015108727.tif 000005
【図４】
2015108727.tif 000006
【図５】
2015108727.tif 000007
【図６】
2015108727.tif 000008
【図７】
2015108727.tif 000009
【図８】
2015108727.tif 000010
【図９】
2015108727.tif 000011